(57)【要約】【課題】  本発明は、運転者が運転することが違法にあたるか否かの確認を、可能にする違法運転防止装置を提供する。【解決手段】  運転を行おうとしている者の呼気中のアルコール濃度を測定する測定手段においてアルコール濃度を測定中に、測定を行っている人物の顔画像と、免許証に登録された人物の顔画像とを照合する。運転を行おうとしている者が、アルコールを摂取しておらず、また免許証に記録された人物と同一の人物であると認証された場合に車を始動することが可能である。【選択図】  図５
2009090691.tif 000002
【特許請求の範囲】
【請求項１】
車両の運転を行おうとしている人物の呼気中の所定の成分を検知する検知手段と、
上記検知手段で検知を行っている間に当該車両の運転席に座っている人物の顔画像を撮像
する撮像手段と、
上記撮像手段で撮影された顔画像より、上記検知手段で検知を行っているかを判定する判
定手段と、
上記判定手段の判定結果及び検知結果に基づいて当該車両の始動を許可する始動許可手段
と、
を有することを特徴とする違法運転防止装置。
【請求項２】
車両の運転を許可しても良いとする人物の顔画像を撮像する撮像手段と、
上記撮像手段において撮像された顔画像を記憶する記憶手段と、
当該車両の運転を行おうとしている人物の呼気中の所定の成分を検知する検知手段と、
上記検知手段で検知を行っている間に運転席に座っている人物の顔画像を撮像する撮像手
段と、
上記撮像手段で撮影された顔画像が上記記憶手段に記憶された当該車両の運転を許可して
も良いとする人物の顔画像であり、かつ上記検知手段で検知を行っている人物であるかを
判定する判定手段と、
上記判定手段の判定結果及び上記検知手段による検知結果に基づいて車両の始動を許可す
る始動許可手段と、
を有することを特徴とする違法運転防止装置。
【請求項３】
身分証から顔画像を読み取る身分証読取手段と、
上記身分証読取手段で読取られた上記身分証の顔画像が上記記憶手段に記憶された当該車
両の運転を許可しても良いとする人物の顔画像であるかを判定する第２の判定手段と
を有することを特徴とする請求項２記載の違法運転防止装置。
【請求項４】
車両の運転を許可しても良い人物を決定する権限を持つ車両管理者の顔画像を記憶する
第３の記憶手段と、
当該車両の運転席に座っている人物の顔画像を撮像する撮像手段と、
上記撮像手段において撮像された顔画像が上記第３の記憶手段で記憶されている車両管理
者の顔画像であるかを判定する第３の判定手段と、
上記判定手段に基づいて新たに当該車両の運転を許可しても良い人物を記憶することを許
可する制御手段と、
を有することを特徴とする違法運転防止装置
【請求項５】
運転席に座っている人物が固定されたことを検知する固定検知手段と、
上記固定検知手段で運転席に座っている人物が固定されたことを検知した場合に違法運転
防止装置の始動を開始する始動制御手段と、
を有することを特徴とする請求項１乃至請求項５記載の違法運転防止装置。
【請求項６】
車両の運転席に座っている人物の顔画像を撮像する撮像手段と、
上記撮像手段で車両の始動開始前に撮像した運転席に座っている人物の顔画像を撮像した
後、撮像された顔画像を記憶する履歴記憶部と、
上記履歴記憶部に記憶された顔画像と、運転時間又は運転速度の少なくとも一つに対して
所定の条件を満たしたときに上記撮像手段で撮像された運転を行っている人物の顔画像が
同一人物であるか否かを判定する第４の判定手段と、
上記判定手段で上記履歴記憶部に記憶された顔画像と、運転時間又は運転速度の少なくと
も一つに対して所定の条件を満たしたときに上記撮像手段で撮像された運転を行っている
人物の顔画像が同一人物で無いと判定された場合に減速若しくは停止少なくとも一方をお
こなう速度制御手段と、
を有することを特徴とする請求項１乃至請求項５記載の違法運転防止装置。
【発明の詳細な説明】
【技術分野】
【０００１】
本発明は、例えば、車や電車、バス、船等に搭載されることで、違法運転を防止する違
法運転防止装置に関する。
【背景技術】
【０００２】
近年は車等の飲酒運転が多発し、例えば警察の取り締まり等においてこれを防止するに
も違法運転を完全に取りしまることは現実には不可能に近い。よって機械の支援を得て違
法運転を取り締まる方法が検討され、その一つとして車のエンジン始動の前に道路交通規
則に違反していないかを確認する自動車制御装置が検討されている。（例えば、特許文献
１参照。）
またその他の方法としては、運転前に呼気を検出し、アルコールの濃度を測る車載装置
が検討されている。（例えば、特許文献２参照。）
【特許文献１】特開平７―９９２４号公報  (第３頁、図１)
【特許文献２】特開平７−１１３７７４号公報  （第２頁、図１）
【発明の開示】
【発明が解決しようとする課題】
【０００３】
しかし、特許文献１記載の自動車制御装置では、指紋照合により運転者の確認を行って
いるため運転を行う際に手袋等をつけての運転が出来ない、又は指に怪我をして包帯や絆
創膏等を行った場合には車の運転が開始出来ないことが課題となっていた。
【０００４】
また、特許文献２に記載の自動車制御装置では、運転前にアルコール検知した者が実際
の走行中に運転している者と同一人物であるか検知できなかった。
【０００５】
本発明は、上記課題を解決するためになされたもので、その運転者が運転することが違
法にあたるか否かの確認を、可能にする違法運転防止装置を提供する。
【課題を解決するための手段】
【０００６】
上記目的を達成するために、本発明による違法運転防止装置は、運転を行おうとしてい
る人物の呼気中の所定の成分を検知する検知手段と、上記検知手段で検知を行っている間
に運転席に座っている人物の顔画像を撮像する撮像手段と、上記撮像手段において撮影さ
れた顔画像が、上記検知手段で検知を行っている人物であるかを判定する判定手段と、上
記判定手段の判定結果によって車両の始動を許可する始動許可手段と、を有することを特
徴とする。
【発明の効果】
【０００７】
本発明は、運転者が運転することが違法にあたるか否かの確認を、可能にする違法運転
防止装置を提供することを目的とする。
【発明を実施するための最良の形態】
【０００８】
以下、本発明による実施例について図面を参照しながら説明する。
【０００９】
なお実施例では車に使用される違法運転防止装置について説明する。
【００１０】
図１は、本実施例における違法運転防止装置１のブロック図を示すものである。
【００１１】
図１に示すように違法運転防止装置１は、制御部１１にアルコール検知部１２、車載カ
メラ１３、顔照合部１４、記憶部１５、免許証リーダライタ部１６、案内部１７、操作部
１８、始動制御部１９、違法運転防止装置始動制御部２０、運転時間計測メータ２１、運
転速度計測メータ２２が接続されたものである。
【００１２】
制御部１１は、違法運転防止装置１の全体の制御を行う。
【００１３】
は制御部１１に接続されているアルコール検知部１２は運転を行おうとする者の呼気を
検知する装置であり、呼気に含まれたアルコール濃度を検出する。
【００１４】
制御部１１に接続されている車載カメラ１３は、運転席に座った状態での運転者及び運
転を行おうとする者の顔を撮影する。その撮影された顔画像は後述する顔照合部１４にお
いて顔照合に用いられる。
【００１５】
制御部１１に接続されている顔照合部１４は、上記車載カメラ１３により撮影された顔
画像による本人照合を行うものである。顔照合部１４は、上記車載カメラ１３により撮影
された顔画像から検出した特徴量と記憶部１５内の照合用辞書１５ａ又は履歴記憶部１５
ｂに記録されている顔画像の特徴量との照合を行うことにより本人照合を行う。
【００１６】
制御部１１に接続された記憶部１５は、ＨＤＤ等の記憶装置により構成される。この記
憶部１５は照合用辞書１５ａと履歴記憶部１５ｂを有している。照合用辞書１５ａは登録
者の氏名、あるいは免許番号等の個人識別情報と当該登録者の顔画像とを対応させて記憶
している。履歴記憶部１５ｂは、顔照合部１４による顔照合処理などの違法運転防止装置
１で処理された顔画像の履歴を記録するものである。
【００１７】
制御部１１に接続された免許証リーダライタ部１６は図示しない免許証Ｃを受けいれて
免許証Ｃに設けられた図示しないメモリＣａのデータの書き込みを行うものである。
【００１８】
ここで指す図示しない免許証Ｃとは、免許証Ｃの表面には、本人の氏名、住所、本籍、
免許内容、及び本人の顔写真などが、印刷されている。また、免許証Ｃに内蔵されたメモ
リＣａには、本人の氏名、生年月日、住所、本籍、免許条件、免許番号、免許の種類、有
効期限、及び本人の顔写真のデータなどの免許証情報が記録されている。また、免許証Ｃ
のメモリＣａには、各運転者が利用可能なユーザ領域が設けられ、このメモリＣａ内に設
けられたユーザ領域には、各ユーザがデータを書き込むことが可能である。
【００１９】
免許証リーダライタ部１６は、免許証Ｃの本人の顔画像が免許証ＣのメモリＣａに画像
データとして記憶されている場合には、上記免許証リーダライタ部１６は免許証Ｃのメモ
リＣａから顔画像データを読み出すようになっている。
【００２０】
また免許証Ｃの本人の顔画像がメモリＣａに画像データとして記録されていない場合、
つまり、免許証Ｃの本人の顔画像が免許証Ｃの券面に印刷されているだけの場合は、免許
証リーダライタ部１６には図示しないスキャナが具備され、その図示しないスキャナによ
り券面に印刷された顔画像を光学的に読み取って顔画像データに変換するようになってい
る。
【００２１】
案内部１７は、免許証リーダライタ部１６から読み取った情報やスキャンした画像、ま
たは車載カメラ１３で撮影した映像や操作画面等を表示する。
【００２２】
操作部１８はキーボードで暗証番号の入力、情報の入力や訂正、操作画面の変更等に用
いられる。操作部１８での操作は制御部１１に出力され、それにより案内部１７に操作部
１８での操作結果を表示する、または車載カメラ１３等の設定を変更すること等が可能で
ある。
【００２３】
始動制御部１９は、車のエンジンを始動させる図示しないスタータ装置等に接続され、
車の始動を制御するものである。始動制御部１９から始動開始の制御信号が発信されると
車が始動する。
【００２４】
制御部１１に接続された違法運転防止装置始動制御部２０はシートベルト３に接続され
、違法運転防止装置１の始動を制御するものである。違法運転防止装置始動制御部２０は
シートベルト３を締めた場合に、違法運転防止装置１の始動開始の制御信号を発信する。
シートベルトを外すと、違法運転防止装置１は停止する。
【００２５】
制御部１１に接続された運転時間計測メータ２１はタイヤ回転時より、後述する運転者
の判定のタイミングを決定するために時間を計測する。計測時間が１０分になると制御部
１１に信号を出力し、制御計測時間はリセットされ、再び１０分になるまで計測される。
【００２６】
制御部１１に接続された運転速度計測メータ２２は、後述する運転者の判定のタイミン
グを決定するために運転速度を計測する。運転速度が３０ｋｍ／ｈ以下になると起動し、
現時点より速度が上がったことを計測すると制御部１１にその旨出力する。
【００２７】
図２は、運転席に座った運転者から見た車内の様子を示す違法運転防止装置１周辺の概
略図であり、図３は違法運転防止装置１の使用状態の模式図である。
【００２８】
以下、図２及び図３で違法運転防止装置１の構成について説明する。
【００２９】
運転者が運転の際使用するハンドル２の図２中右側には免許証リーダライタ部１６が設
置されている。免許証リーダライタ部１６に免許証を挿入するための挿入口１６ａは、免
許証リーダライタ部１６の運転席側に向いている。
【００３０】
免許証リーダライタ部１６のさらに図１中右隣にはアルコール検知部１２が設けられて
いる。アルコール検知部１２には呼気検知管１２ａがついており、呼気検知管１２ａは運
転席の座席の頭部まで伸びるような長さの管である。呼気検知管はプラスチック製のマウ
スピース１２ａがついており交換が可能となっている。
【００３１】
またハンドル２の図２中左側には、案内部１７が設けられている。
【００３２】
案内部１７には免許証情報や操作部１８で操作した内容、撮影した顔情報や操作画面等
が表示される。
【００３３】
また案内部１７と操作部１８は一体となっている。操作部１８では、操作が入力操作や
選択操作を行うことが出来る。
【００３４】
案内部１７の図１中左側には車載カメラ１３が設けられている。
【００３５】
車載カメラ１３は運転席に座った状態で、人の顔が含まれる部位を撮影可能なように設
置されている。
【００３６】
シートベルト３は、運転者を座席に固定するために設けられている。シートベルト３に
は図示しない着脱センサが設けられ、つけ外しによって着脱センサから違法運転防止装置
始動制御部２０への着脱状態の信号の出力を行う。
【００３７】
以上の構成を持つ違法運転防止装置１の動作を以降説明する。
【００３８】
また以下の説明では、免許証ＣのメモリＣａに顔画像が記録されているものとする。
【００３９】
初めに違法運転防止装置１への顔画像登録処理を説明する。
【００４０】
図４は違法運転防止装置１に運転者の顔画像を登録する際の登録処理を説明するための
フローチャートである。
【００４１】
以下の説明では、上記照合用辞書１５ａに予め登録されている車の所有者を他の運転者
を登録する権限を有する人物とする。すなわち、違法運転防止装置１にあらかじめ顔画像
が登録されている、車の所有者である車管理者は、他の人物の照合用辞書１５ａへの登録
を許可する権限があるものとする。以下では予め登録されている人物以外の運転者（被登
録者）の顔画像を登録し、当該車の利用ができるようにする際の画像処理について説明す
る。
【００４２】
まず、当該違法運転防止装置１への登録を許可しようとする者は操作部１８にて他の運
転者の登録処理の開始を指示する（Ｓ１１）。初めに、違法運転防止装置１の制御部１１
は車載カメラ１３により違法運転防止装置１への登録を許可しようとする者の顔画像を撮
影する（Ｓ１２）。
【００４３】
車管理者の顔画像を撮影すると、顔照合部１４は撮影した顔画像から顔の特徴量を抽出
し、この抽出した顔の特徴量と照合用辞書１５ａに登録されている車管理者の顔の特徴量
と照合する（Ｓ１３）。この照合処理により顔照合部１４は、車載カメラ１３で撮影した
違法運転防止装置１への登録を許可しようとする者が当該車の所有者（車管理者）である
か否かを判定し、判定結果を制御部１１へ出力する。上記判定により車載カメラ１３にて
顔を撮影した人物が車管理者であると判定した場合（Ｓ１４、Ｙｅｓ）、制御部１１は、
他の運転者（被登録者）の顔画像の登録を許可する。
【００４４】
上記判定により車載カメラ１３にて顔を撮影した人物が車管理者であると判定されなか
った場合（Ｓ１４、Ｎｏ）、再び車載カメラ１３は車管理者の顔を撮影する（Ｓ１４ａ、
Ｎｏ）。上記判定が、例えば３回連続照合に失敗した場合には（Ｓ１４ａ、Ｙｅｓ）、違
法運転防止装置１にロック等がかかり、作業は強制的に終了する。
【００４５】
被登録者の登録処理が許可されると、制御部１１は案内部１７にて登録する被登録者の
免許証Ｃを免許証リーダライタ部１６の挿入口１６ａへ挿入する旨の案内を出す（Ｓ１５
）。この案内に応じて被登録者は、自分の免許証Ｃを挿入口１６ａに挿入する。
【００４６】
免許証リーダライタ部１６の挿入口１６ａに免許証Ｃが挿入されたのを検知すると制御
部１１は案内部１７には「免許証Ｃの２つの暗証番号の入力してください」との案内を出
す（Ｓ１６）。この案内に応じて被登録者は、操作部１８より自分の免許証Ｃの発行時に
決定した２つの暗証番号を入力する。
【００４７】
被登録者が正しい２つの暗証番号の入力を終了すると（Ｓ１７、Ｙｅｓ）、免許証リー
ダライタ部１６は、挿入された免許証ＣのメモリＣａに記録されている顔画像を含むデー
タを読取る（Ｓ１８）。また被登録者が誤った２つの暗証番号を入力すると（Ｓ１７、Ｎ
ｏ）、案内部１７に暗証番号が間違っているため、正しい番号を入力してくださいとの表
示がなされ、再び制御部１１は案内部１７には「免許証Ｃの２つの暗証番号の入力してく
ださい」との案内を出す（Ｓ１７ａ、Ｎｏ）３回連続して入力をミスすると違法運転防止
装置にロックがかかる等の処理が行われた後に強制的に作業は終了される（Ｓ１７ａ、Ｙ
ｅｓ）。
【００４８】
被登録者の免許証Ｃから顔画像データを読取ると、制御部１１は、車載カメラ１３にて
被登録者の顔画像を撮影する（Ｓ１９）。被登録者の顔画像を撮影すると、顔照合部１４
は撮影した顔画像から顔の特徴量を抽出する。顔照合部１４は免許証Ｃから読取った顔画
像データから抽出した顔の特徴量と車載カメラ１３にて撮影した被登録者の顔画像から抽
出した特徴量との照合を行う（Ｓ２０）。この照合処理により顔照合部１４は免許証Ｃか
ら読取った顔と車載カメラ１３にて撮影した被登録者の顔であるか否かを判定し、判定結
果を制御部１１へ出力する。
【００４９】
上記判定により車載カメラ１３にて顔を撮影された人物が免許証Ｃの所有者であると判
定された場合（Ｓ２１、Ｎｏ）、もう一度ＩＣ免許証Ｃのデータを読取る（Ｓ１８）。
【００５０】
上記判定により車載カメラ１３にて顔を撮影された人物が免許証Ｃの所有者であると判
定された場合（Ｓ２１、Ｙｅｓ）、制御部１１は読取った顔画像データあるいは車載カメ
ラ１３にて撮影された顔画像を登録用の画像として案内部１７としての表示装置に表示す
る（Ｓ２２）。この際、被登録者の免許証Ｃから読取った被登録者の氏名などの情報を顔
画像とともに表示装置に表示する。このような表示において被登録者あるいは車管理者が
登録内容を確認する（Ｓ２３）。
【００５１】
この案内部１７の表示装置に表示された登録内容が満足するものでなかった場合（Ｓ２
３、Ｎｏ）、被登録者あるいは車管理者は顔画像等の登録内容の再入力処理を行う。また
、上記案内部１７の表示装置に表示された顔画像等の登録内容が満足するものであった場
合（Ｓ２３、Ｙｅｓ）、被登録者あるいは車管理者は、登録内容の確認完了を指示する。
【００５２】
このような登録内容の確認が指示されると、制御部１１は登録用の顔画像から顔の特徴
量を抽出し、抽出した顔の特徴量を上記照合用辞書１５ａに登録する（Ｓ２４）。
【００５３】
このように運転者の登録処理は、あらかじめ顔画像が登録されている当該車の所有者な
どの車管理者による登録指示に基づいて行われる。予め登録されている顔画像とカメラに
より撮影した車管理者の顔画像とにより車管理者の照合が行われた後に、被登録者は、免
許証Ｃの顔画像とカメラにより撮影される被登録者の顔画像とにより照合が行われる。こ
れにより、予め登録される車管理者の許可のない人物が登録されることを防ぐ事が出来る
。
【００５４】
次に登録済みの運転者による当該車の始動動作について説明する。
【００５５】
図５は登録済みの運転者による当該車の始動動作について説明するためのフローチャー
トである。
【００５６】
まず違法運転防止装置１が搭載されている車を始動する場合に、運転者は利用する車に
乗り込んだ後に、車の運転席側のドアを閉め、車のキーを回し、シートベルト３を装着す
る。シートベルト３を装着すると違法運転防止装置始動制御部２０にシートベルト装着中
の信号が出力される。違法運転防止装置始動制御部２０に信号が出力されると、違法運転
防止装置１が起動される（Ｓ３０）。
【００５７】
ここで違法運転防止装置始動制御部２０は車のドアがしまっているか否か等を確認して
もよい。
【００５８】
次に運転者は自身が所持している免許証Ｃを免許証リーダライタ部１６の挿入口１６ａ
に挿入する（Ｓ３１）。すると案内部１７の表示装置に「暗証番号を二つ入力してくださ
い」と表示されるので免許証Ｃを発行する際に登録した２つの暗証番号を操作部１８に入
力する。
【００５９】
あらかじめ免許証Ｃに登録された暗証番号と一致する暗証番号が入力されると（Ｓ３２
、Ｙｅｓ）、免許証リーダライタ部１６は免許証ＣのメモリＣａに記録されているデータ
を読取る（Ｓ３３）。
【００６０】
運転者により挿入された免許証Ｃのデータを読取ると、制御部１１は読取った免許証Ｃ
のデータに基づいて上記照合用辞書１５ａに登録されている登録者の免許証か否かを確認
する。
【００６１】
この確認処理では、免許証Ｃから読取った氏名あるいは免許証番号等の識別情報と、上
記照合用辞書１５ａに記録されている氏名あるいは免許証番号とのデータ照合を行う。そ
して顔照合部１４において、免許証Ｃに登録されていた顔画像のデータと、照合により導
き出された照合用辞書１５ａに登録されていた顔画像のデータから特徴量を抽出する。免
許証Ｃに登録されていた顔画像の特徴量と照合用辞書に登録されていた顔画像の特徴量と
を照合し、照合処理により免許証Ｃに登録されていた顔画像データと照合用辞書１５ａに
登録されていた顔画像データが同一人物のものであるか否かを判定し、判定結果を制御部
１１へ出力する。
【００６２】
判定した結果、当該車を運転しようとする者が持つ免許証Ｃの顔画像が登録者でなかっ
た場合（Ｓ３４、Ｎｏ）には、車管理者があらかじめ違法運転防止装置１に設定する指示
に従い次のステップに進むことが出来るか否かを判定する。つまり車管理者が、当該車を
運転しようとする者が、違法運転防止装置に未登録の者であっても当該車を運転すること
を許可している場合（Ｓ３４ａ、Ｙｅｓ）には、当該車を運転しようとする者が持つ免許
証Ｃの顔画像が登録者である場合と同様に制御部１１において次のステップに進むことが
出来る。一方、車管理者が、免許証Ｃの顔画像が登録者以外である場合には当該車を運転
することを禁止するよう設定していた場合（Ｓ３４ａ、Ｎｏ）は、案内部１７の表示画面
にエンジンが始動不可である旨を表示する。
【００６３】
判定した結果、当該車を運転しようとする者が持つ免許証Ｃの顔画像が登録者であった
場合（Ｓ３４、Ｙｅｓ）、または車管理者によって当該車を運転しようとする者が持つ免
許証Ｃの顔画像登録者以外（Ｓ３４、Ｎｏ）でも運転可能と設定されている場合（Ｓ３４
ａ、Ｙｅｓ）には、制御部１１はさらに、当該免許証Ｃから読取った記録内容に基づいて
当該免許証Ｃでの当該車の運転が可能か否か（免許の有効性）を確認する（Ｓ３５）。
【００６４】
この免許証Ｃの有効性の確認は、有効期間、免許種別、及び免許条件等の情報に基づい
て挿入された免許証が当該車を運転するために有効な免許証か否かを確認するものである
。また、交通違反などの違反情報が免許証Ｃに記録されるものであれば、違反情報に基づ
いて当該車の運転資格があるか否かを免許の有効性として確認するようにしてもよい。
【００６５】
確認処理により挿入された免許証Ｃが特に異常無し、と確認された場合（Ｓ３５、Ｙｅ
ｓ）、アルコール検知部１２が起動され、案内部１７の表示装置に「呼気検知管を口に銜
えて下さい」と表示される。この表示に従い運転しようとする者は呼気検知管１２ａを口
に銜える。その後運転しようとする者は案内部１７の指示に従って、一定時間呼気を呼気
検知管１２ａに吹き込む。アルコール検知部１２は呼気によりアルコール濃度を検出する
。
【００６６】
定められたアルコール濃度の規定値より低い場合（Ｓ３６、Ｙｅｓ）には呼気を吹き続
けている間に制御部１１が車載カメラ１３により呼気を吹いている状態での運転しようと
する者を撮影する（Ｓ３７）。
【００６７】
当該運転しようとする者の顔画像を撮影すると、照合用辞書１５ａに登録してある判定
処理で特定した運転しようとする者の顔を照合する。顔照合部１４は撮影した顔画像から
顔の特徴量を抽出し、この抽出した顔の特徴量と照合用辞書１５ａに登録されていた顔画
像の特徴量とを照合する（Ｓ３８）。また同時に、呼気検知管１２ａが、口に銜えられて
いることの照合を行う。この照合処理においては、予め照合用辞書１５ａに記憶されてい
る口に銜えている際での呼気検知管１２ａの特徴量と顔照合部１４が抽出した撮影した顔
画像から抽出した口に銜えている際での呼気検知管の特徴量とを照合する。
【００６８】
呼気検知管１２ａが口に銜えられていない場合には（Ｓ３９、Ｎｏ）、案内部１７に呼
気検知管１２ａが口に銜えられていないので呼気検知管１２ａを口に銜えるよう指示を案
内部１７に表示させる。その後改めてアルコール濃度の検出から動作がリトライされる（
Ｓ３６）。
【００６９】
呼気検知管１２ａが口に銜えられていると判断された場合には（Ｓ３９、Ｙｅｓ）、顔
照合処理により判定を確認する。
【００７０】
顔の特徴量の照合結果及び呼気検知管の特徴量の照合結果により車載カメラ１３で撮影
した人物が当該車を運転可能な者であり、かつ呼気検知管１２ａを銜えてアルコール検知
を行っている者であるか否かを判定し、判定結果を制御部１１に出力する（Ｓ３９）。
【００７１】
検出されたアルコール濃度が規定値より低く、かつ顔照合処理による判定が成功した場
合で呼気検知管１２ａが口に銜えられていると判断された場合（Ｓ４０、Ｙｅｓ）には、
制御部１１は、当該車の始動を許可し、上記始動制御部１９により当該車のスタータ装置
に始動開始信号を送信し当該車のエンジンを始動させ、走行が可能となる（Ｓ４１）。
【００７２】
これにより現在呼気を吹き込んでいる者が実際に運転を行おうとしている者であり、当
該車において運転を許可されている者でありかつ有効な免許証を持つ者であるか否かが判
定される。
【００７３】
暗証番号の入力が間違っていた場合（Ｓ３２、Ｎｏ）や、車管理者が未登録者の走行を
許可していなかった場合（Ｓ３４ａ、Ｎｏ）や、免許証が有効でなかった場合（Ｓ３５、
Ｎｏ）や、検出されたアルコール濃度が規定値より高い場合（Ｓ３６、Ｎｏ）又は顔照合
処理による照合が失敗した場合（Ｓ４０、Ｎｏ）には、制御部１１からの指示に基づいて
上記案内部１７によりエンジン始動の為の照合が失敗したため始動出来ない旨、表示する
（Ｓ４２）。
【００７４】
なお走行が終了してシートベルト３を外すと免許証が免許証リーダライタ部１６の挿入
口１６ａから排出され、案内部１７に免許証を取って下さいとの表示がされる。また表示
がされるだけでなく取り忘れ防止の為の注意音を発する等の応用も考えられる。
【００７５】
速度計の速度がゼロになる、エンジンが停止される、シートベルトを外したことが検知
された、若しくは運転席の最寄りのドアが開いた等が検知された場合にはまた最初から照
合が行われる。
【００７６】
次に減速又は停止した際の運転者確認動作についてフローチャート図６を参照して説明
する。
【００７７】
タイヤが回転を開始したときを運転開始時と定め、運転開始時より図１に示した運転時
間計測メータ２１が運転時間の計測を開始する（Ｓ５１）。
【００７８】
運転時間計測メータ２１が１０分を記録すると（Ｓ５２、Ｙｅｓ）、まずは運転時間計
測メータ２１の値がリセットされる（Ｓ５２ａ）。メータの値がリセットされた後に、車
載カメラによって顔画像の撮影が行われる（Ｓ５５）。
【００７９】
顔画像の撮影が行われた後、撮影された顔画像の値を用いて、顔照合が行われる。この
顔照合は運転開始時に車始動の為に行われた顔照合で用いられた記憶部１５に記憶された
顔画像を利用して行う。顔照合においては、顔照合部１４で撮影した顔画像から顔の特徴
量を抽出し、この抽出した顔の特徴量と記憶部１５に記憶された顔画像の特徴量を照合す
る。この照合処理により顔照合部１４は、車載カメラ１３で撮影された人物が運転開始時
に顔照合を行った人物と同一であるか否かを判定し、判定結果を制御部１１へ出力する。
【００８０】
運転開始時と同一人物であることが確認できなかった場合は（Ｓ５６、Ｎｏ）、即時に
顔画像の撮影から行いなおす（Ｓ５５）。
【００８１】
この動作は、例えば、照合失敗回数が５回未満の場合（５６ａ、Ｎｏ）まで、顔画像の
撮影から行いなおす（Ｓ５５）ことができる。顔照合（Ｓ５６）において、運転時と同一
人物であることが確認できなかった場合（Ｓ５６、Ｎｏ）で、５回連続して照合出来なか
った場合（Ｓ５６ａ、Ｙｅｓ）には、案内部１７において停止の旨の警告表示を行い、そ
の後表示より３分後から減速をスタートさせる（Ｓ５７）。その後ゆっくりと減速は行わ
れ、１０分以内には車を停止させる（Ｓ５８）。
【００８２】
顔照合において運転開始時と同一人物が現在の運転者であると確認できた場合には（Ｓ
５６、Ｙｅｓ）、続けて運転が可能となる（Ｓ５９）。
【００８３】
運転時間計測メータ２１が１０分未満である場合（Ｓ５２、Ｎｏ）には運転速度計測メ
ータ２２で運転速度を計測する（Ｓ５３）。運転中に運転速度計測メータ２２が３０ｋｍ
／ｈを切った後に再びスピードが上がると制御部１１が車載カメラ１３を作動させ、現在
の運転者の顔を撮影する（Ｓ５５）。
【００８４】
顔画像の撮影が行われた後、撮影された顔画像の値を用いて、顔照合が行われる。この
顔照合は運転開始時に車始動の為に行われた顔照合で用いられた記憶部１５に記憶された
顔画像を利用して行う。顔照合においては、顔照合部１４で撮影した顔画像から顔の特徴
量を抽出し、この抽出した顔の特徴量と記憶部１５に記憶された顔画像の特徴量を照合す
る。この照合処理により顔照合部１４は、車載カメラ１３で撮影された人物が運転開始時
に顔照合を行った人物と同一であるか否かを判定し、判定結果を制御部１１へ出力する。
【００８５】
運転開始時と同一人物であることが確認できなかった場合は（Ｓ５６、Ｎｏ）、即時に
顔画像の撮影から行いなおす（Ｓ５５）。
【００８６】
照合失敗回数が５回未満の場合（５６ａ、Ｎｏ）、まで顔画像の撮影から行いなおす（
Ｓ５５）ことができる。顔照合において、運転時と同一人物であることが確認できなかっ
た場合（Ｓ５６、Ｎｏ）で、５回連続して照合出来なかった場合（Ｓ５６ａ、Ｙｅｓ）に
は、案内部１７において停止の旨の表示及び表示より３分後から減速をスタートさせる（
Ｓ５７）。その後ゆっくりと減速は行われ、１０分以内には車を停止させる（Ｓ５８）。
【００８７】
顔照合において運転開始時と同一人物が現在の運転者であると確認できた場合には（Ｓ
５６、Ｙｅｓ）、続けて運転が可能となる（Ｓ５９）。
【００８８】
以上説明のように、これら一連の動作により、違法運転防止装置１は、違法な運転の阻
止や車の盗難防止を行うことが出来る。
【００８９】
なお本発明は前記実施例に限定されるものでなく、その要旨を逸脱しない範囲で変更可
能であるのはいうまでもない。
【００９０】
例えば、呼気検知管の先にセンサを付け、口に該当する部位に確実に持ってきたか否か
を確認することも可能である。
【００９１】
また顔色の変化にも対応できるよう、違法運転防止装置の設定を定めておき、異常に顔
色が青い、または顔色が赤い等の変化があった場合には呼気検知管を銜えて検知するよう
案内部において指示を出す等の応用も可能である。
【００９２】
また、顔の確認手段においてはハンドル２に検知手段を設け、異常な程に高い心拍数を
検知する、又は異常な量の汗を検知した場合には運転時間計測メータ２１や運転速度計測
メータ２２が基準値を満たしていなくとも顔を撮影し、運転者に異常がないか否かを確認
することが可能である。
【００９３】
また運転している最中に顔周辺の撮影画像に例えば缶やビンの異物が検知された場合に
は呼気検知管を銜えるよう指示してアルコール検出装置において運転中にアルコールを摂
取していないかどうかを確認することも可能である。
【００９４】
また運転中の照合のタイミングを決定するための速度やスピードの値や顔の照合のリト
ライの回数等を規則等に合わせ、変更することも可能である。
【図面の簡単な説明】
【００９５】
【図１】本実施例による違法運転防止装置１の構成を示すブロック図。
【図２】本実施例による違法運転防止装置１を運転席側から見た場合の概略図。
【図３】本実施例による違法運転防止装置１の使用状態の模式図
【図４】本実施例による違法運転防止装置１に運転者の顔画像を登録する際の登録処理を説明するためのフローチャート図。
【図５】本実施例による違法運転防止装置１へ登録済みの運転者による当該車の始動動作について説明するためのフローチャート図。
【図６】本実施例による違法運転防止装置１の減速又は停止した際の運転者確認動作についてフローチャート図。
【符号の説明】
【００９６】
１  違法運転防止装置、１１  制御部、１２  車載カメラ、１３  アルコール検知部、１
４  案内部、１５  操作部１８、１６  顔照合部、１７  記憶部、１８  免許証リーダラ
イタ部、１９  始動制御部、２０  運転時間計測メータ、２１  運転速度計測メータ。
【図１】
2009090691.tif 000003
【図２】
2009090691.tif 000004
【図３】
2009090691.tif 000005
【図４】
2009090691.tif 000006
【図５】
2009090691.tif 000007
【図６】
2009090691.tif 000008